(57)【要約】【課題】サイズの異なるパネルカットに対応して表示装置をパネルに取り付ける。【解決手段】表示装置１は、パネルカット２１Ａより大きい外形サイズを有するように表示部１２の周囲に設けられた、取付金具３とともにパネル２を挟むフランジ部１１１を備えている。本体部１１２は、外周に段状に形成された段部を少なくとも１つ有している。当該段部は、取付金具３とともにパネル２を挟みうる第１平行壁部１１２ｃを有している。表示装置１は、フランジ部１１１および第１平行壁部１１２ｃのいずれか１つを用いてパネル２に取り付けられる。【選択図】図６
2016093041.tif 000002
【特許請求の範囲】
【請求項１】
筐体の本体をなす本体部がパネルの取付穴を通して前記パネルを貫通した状態で取付具とともに前記パネルを挟むことによって前記パネルに取り付けられる表示装置であって、
前記取付穴より大きい外形サイズを有するように表示部の周囲に前記筐体の一部として設けられ、前記取付具とともに前記パネルを挟みうる表示部側取付壁部を備え、
前記本体部は、外周に段状に形成された段部を少なくとも１つ有し、
当該段部は、前記取付具とともに前記パネルを挟みうる本体部側取付壁部を有し、
当該本体部側取付壁部は、前記表示部側取付壁部より小さい外形サイズを有するように設けられ、
前記表示部側取付壁部および少なくとも１つの前記本体部側取付壁部のいずれか１つを用いて前記パネルに取り付けられることを特徴とする表示装置。
【請求項２】
前記表示部側取付壁部における前記パネルの側には、少なくとも前記表示部側取付壁部と前記パネルとの間に挟まれるパッキンを嵌め込む溝が形成されていることを特徴とする請求項１に記載の表示装置。
【請求項３】
請求項１または２に記載の表示装置をパネルに取り付ける表示装置取付構造であって、
前記表示部側取付壁部および少なくとも１つの前記本体部側取付壁部のいずれか１つとともに前記パネルを挟む取付具を備え、
前記取付具は、前記本体部に保持された状態で、前記パネルを規定の位置で押圧することによって前記表示装置を前記パネルに取り付けることを特徴とする表示装置取付構造。
【請求項４】
前記取付具は、前記表示部側取付壁部と向き合う位置で前記パネルを押圧することを特徴とする請求項３に記載の表示装置取付構造。
【発明の詳細な説明】
【技術分野】
【０００１】
本発明は、表示装置および当該表示装置をパネルに取り付けるための表示装置取付構造に関するものである。
【背景技術】
【０００２】
プログラマブル表示器などのパネル取付型の表示装置は、表示部を有する前部がパネルの表面に露出し、かつ電源や基板などの各種の部品を内蔵する後部がパネルの裏側に配置され、パネルに取り付けられる。このため、後部は、パネルに形成された穴（パネルカット）を貫通した状態で配置される。
【０００３】
表示装置を変更する場合、現在パネルに取り付けられている表示装置をパネルから取り外して、変更される表示装置をパネルカットに嵌め込んでパネルに取り付ける必要がある。
【０００４】
しかしながら、変更される表示装置のサイズが、パネルのパネルカットサイズに対応しないことがある。例えば、パネルカットサイズが、変更される表示装置の前部のサイズより大きい場合、パネルカットを小さくすることはできないので、変更される表示装置をパネルに取り付けることができない。
【０００５】
これに対し、例えば、特許文献１には、パネルと表示装置との間に補助枠を介在させることにより、変更される表示装置の前部のサイズより大きいサイズのパネルカットが形成されたパネルにも、当該表示装置を取り付けることができる取付構造構が開示されている。
【先行技術文献】
【特許文献】
【０００６】
【特許文献１】特開２００２−１８５６１５２号公報（２００９年６月２８日公開）
【発明の概要】
【発明が解決しようとする課題】
【０００７】
しかしながら、特許文献１に開示された取付構造では、パネルカットサイズが、変更される表示装置の後部のサイズに対して小さい場合には、パネルカットに表示装置を嵌め込むことができない。このため、上記のように補助枠を用いても、変更される表示装置を取り付けることができない。また、この場合に、表示装置をパネルに取り付けるには、パネルカットを大きくしなければならない。しかも、上記の取付構造では、表示装置を補助枠に固定するための複数のボルトが必要であるため、部品点数と取り付けの作業工数とが増加する。
【０００８】
本発明は上記の問題点を解決するためになされたものであり、その目的は、サイズの異なるパネルカットに対応して表示装置をパネルに取り付けることにある。
【課題を解決するための手段】
【０００９】
上記の課題を解決するために、本発明に係る表示装置は、筐体の本体をなす本体部がパネルの取付穴を通して前記パネルを貫通した状態で取付具とともに前記パネルを挟むことによって前記パネルに取り付けられる表示装置であって、前記取付穴より大きい外形サイズを有するように表示部の周囲に前記筐体の一部として設けられ、前記取付具とともに前記パネルを挟みうる表示部側取付壁部を備え、前記本体部が、外周に段状に形成された段部を少なくとも１つ有し、当該段部が、前記取付具とともに前記パネルを挟みうる本体部側取付壁部を有し、当該本体部側取付壁部が、前記表示部側取付壁部より小さい外形サイズを有するように設けられ、前記表示部側取付壁部および少なくとも１つの前記本体部側取付壁部のいずれか１つを用いて前記パネルに取り付けられることを特徴としている。
【００１０】
また、上記の課題を解決するために、本発明に係る表示装置取付構造は、前記表示装置を前記パネルに取り付ける表示装置取付構造であって、前記表示部側取付壁部および少なくとも１つの前記本体部側取付壁部のいずれか１つとともに前記パネルを挟む取付具を備え、前記取付具が、前記本体部に保持された状態で、前記パネルを規定の位置で押圧することによって前記表示装置を前記パネルに取り付けることを特徴としている。
【００１１】
上記の構成において、表示装置は、取付具とともにパネルを挟む部分として、表示部側取付壁部と、本体部に設けられた少なくとも１つの本体部側取付壁部とを有している。このように、表示装置は、少なくとも２つの異なる大きさの取付穴に対応してパネルに取り付けられる構造を有している。
【００１２】
これにより、大きい取付穴が形成されたパネルに対しては、取付具によって、表示部側取付壁部に対してパネルを押圧するようにして表示装置をパネルに固定することができる。一方、小さい取付穴が形成されたパネルに対しては、取付具によって、本体部側取付壁部に対してパネルを押圧するようにして表示装置をパネルに固定することができる。したがって、大きさの複数の取付穴が形成されたパネルに表示装置を取り付けることができる。
【００１３】
前記表示装置において、前記表示部側取付壁部における前記パネルの側には、少なくとも前記表示部側取付壁部と前記パネルとの間に挟まれるパッキンを嵌め込む溝が形成されていることが好ましい。
【００１４】
上記の構成では、表示部側取付壁部とパネルとの間の防水のためにパッキンを設ける場合、パッキンを溝に嵌め込むことにより、容易にパッキンを表示装置に装着することができる。
【００１５】
前記表示装置取付構造において、前記取付具は、前記表示部側取付壁部と向き合う位置で前記パネルを押圧することが好ましい。
【００１６】
上記の構成では、取付具が、表示部側取付壁部と向き合う位置で、パネルを表示部側取付壁部または本体部側取付壁部に対して押圧するので、１つの取付具で、異なるサイズの取付穴がそれぞれ形成されたパネルに表示装置を取り付けることができる。
【発明の効果】
【００１７】
本発明は、少なくとも２種類の大きさのパネルカットサイズに対応して表示装置をパネルに取り付けることができるという効果を奏する。
【図面の簡単な説明】
【００１８】
【図１】本発明の一実施形態に係る表示装置取付構造によって当該実施形態に係る表示装置がパネルに取り付けられた状態を示す斜視図である。
【図２】上記表示装置取付構造によってパネルに取り付けられる表示装置の取り付けに係る部分を拡大して示す部分断面図である。
【図３】（ａ）は上記表示装置取付構造における取付金具を示す正面図であり、（ｂ）は上記取付金具を示す側面図であり、（ｃ）は上記取付金具を示す背面図である。
【図４】薄型のパッキンが取り付けられた状態の上記表示装置を示す斜視図である。
【図５】図４に示す表示装置をパネルに取り付けた状態を示す側面図である。
【図６】図４に示す表示装置をパネルに取り付ける表示装置取付構造を拡大して示す部分縦断面図である。
【図７】厚型のパッキンが取り付けられた状態の上記表示装置を示す斜視図である。
【図８】図７に示す表示装置をパネルに取り付けた状態を示す側面図である。
【図９】図７に示す表示装置をパネルに取り付ける他の表示装置取付構造を拡大して示す部分縦断面図である。
【図１０】（ａ）〜（ｃ）は本発明の他の実施形態を示すものであって、それぞれ異なる３つのパネルカットサイズのパネルに取り付けられる表示装置の取り付けに用いられる部分と当該表示装置を取り付ける表示装置取付構造とを拡大して示す部分縦断面図である。
【図１１】（ａ），（ｂ）は本発明のさらに他の実施形態を示すものであって、それぞれ異なる２つのパネルカットサイズのパネルに取り付けられる表示装置の取り付けに用いられる部分と当該表示装置を取り付ける表示装置取付構造とを拡大して示す部分縦断面図である。
【発明を実施するための形態】
【００１９】
〔実施形態１〕
本発明の一実施形態について図１〜図９に基づいて説明すると、以下の通りである。
【００２０】
本実施形態では、２つの異なるサイズのパネルカットが形成されたパネルに取り付け可能な表示装置と、当該表示装置を取り付ける表示装置取付構造とについて説明する。
【００２１】
図１は、本実施形態に係る表示装置取付構造によって本実施形態に係る表示装置１がパネル２に取り付けられた状態とを示す斜視図である。図２は、表示装置取付構造によってパネル２に取り付けられる表示装置１の取り付けに係る部分を拡大して示す部分断面図である。図３の（ａ）は上記表示装置取付構造における取付金具３を示す正面図であり、図３の（ｂ）は取付金具３を示す側面図であり、図３の（ｃ）は取付金具３を示す背面図である。
【００２２】
図１に示すように、表示装置１は、パネル２に、取付金具３によって取り付けられている。
【００２３】
パネル２は、表示装置１を挿入するための大小２つのパネルカット２１Ａ，２１Ｂ（取付穴）が形成されている。図１および図７〜図９に示す例では、小さいサイズのパネルカット２１Ｂが形成されたパネル２に、表示装置１が取り付けられている。一方、後述する図４〜図６に示す例では、大きいサイズのパネルカット２１Ａが形成されたパネル２に、表示装置１が取り付けられている。パネルカット２１Ａの横幅（水平方向の幅）は、パネルカット２１Ｂの横幅よりも大きく、パネルカット２１Ａの縦幅すなわち高さ（鉛直方向の幅）は、パネルカット２１Ｂの縦幅よりも大きい。
【００２４】
図１および図２に示すように、表示装置１は、筐体１１と、当該筐体１１に実装される表示部１２とを備えている。筐体１１は、パネル２への取付面となるフランジ部１１１（表示部側取付壁部）と、フランジ部１１１と一体に形成された本体部１１２とを有している。
【００２５】
本体部１１２は、筐体１１の本体をなす部分であり、第１平行壁部１１２ｃから前側（フランジ部１１１側）の部分（以降「前部」と称する）の外形サイズが第１平行壁部１１２ｃよりも後ろ側の部分（以降「後部」と称する）の外形サイズより大きい。また、フランジ部１１１の外形サイズは、本体部１１２の前部の外形サイズより大きい。これらの外形サイズの相違の詳細については後述する。ここで、上記の外形サイズは、表示部１２の面方向に沿った断面の外形のサイズである。
【００２６】
このような筐体１１の各部の外形サイズの相違から、表示装置１がパネルカット２１Ａ，２１Ｂに挿入可能な部分が異なる。大きいサイズのパネルカット２１Ａには、本体部１１２の前部および後部が挿入できるが、フランジ部１１１は挿入できない。一方、小さいサイズのパネルカット２１Ｂには、本体部１１２の後部が挿入できるが、フランジ部１１１および本体部１１２の前部は挿入できない。
【００２７】
表示装置１は、本体部１１２の後部がパネルカット２１Ｂに挿入された状態で、筐体１１の本体部１１２に設けられた取付面と取付金具３とでパネル２を挟むことにより、パネル２に取り付けられている（固定されている）。上記の取付面は、本体部１１２に設けられた後述する第１平行壁部１１２ｃ（図９参照）である。また、表示装置１は、本体部１１２の後部がパネルカット２１Ａに挿入された状態で、もう一つの取付面となるフランジ部１１１と取付金具３とでパネル２を挟むことにより、パネル２に取り付けられる場合もある。
【００２８】
また、図１に示すように、小さいパネルカット２１Ｂが形成されたパネル２に表示装置１を取り付ける場合、表示装置１の後述するフランジ部１１１とパネル２との間には、防水のためのパッキン４Ｂが挟まれている。一方、小さいパネルカット２１Ａが形成されたパネル２に表示装置１を取り付ける場合、フランジ部１１１とパネル２との間には、防水のためのパッキン４Ａが挟まれている（図５および図６参照）。
【００２９】
表示部１２は、画像を表示するために設けられており、液晶パネルや有機ＥＬパネルなどの平板型の表示パネルによって構成されている。この表示部１２は、筐体１１の前面側に配置されている。
【００３０】
なお、表示部１２上には、図示はしないがタッチ入力のためのタッチパネルが設けられていてもよい。表示装置１が、パネルコンピュータやプログラマブル表示器などの表示部１２の表示面から入力操作を行うタイプの装置である場合には、タッチパネルが入力デバイスとして好適に用いられる。
【００３１】
フランジ部１１１は、表示装置１をパネル２に取り付けるために表示部１２の周囲に設けられ、パネル２に取り付けられた状態で、パネル２の表面と対向するように配置される。また、フランジ部１１１は、表示部１２を取り囲むように、本体部１１２の最も前に位置する端部から表示部１２の側方に突出するように形成されており、パネルカット２１Ａより大きい外形サイズを有している。また、フランジ部１１１は、後述の取付金具３がパネル２の裏面に作用させる押圧力をパネル２の表面側で受け止めるに足りる強度を確保できる厚さおよび幅で形成されている。そして、フランジ部１１１の裏面（パネル２の表面に対向する面）の表示部１２側の端には、本体部１１２との境界部分に、パッキン４Ａ，４Ｂの一部を嵌め込むためのパッキン装着溝１１１ａが表示部１２を取り囲むように形成されている。
【００３２】
本体部１１２は、表示装置１を駆動するための制御回路、外部機器とのインターフェース、内部回路に電力を供給するための電源装置などを収容しており、表示装置１における最も前面に設けられたフランジ部１１１より後ろに設けられている。この本体部１１２は、表示装置１がパネル２に取り付けられた状態では、パネル２のパネルカット２１Ａ，２１Ｂを貫通するように配置される。
【００３３】
図２および図４に示すように、本体部１１２は、フランジ部１１１の裏面側に、全体として方形をなす箱状に形成されている。具体的には、本体部１１２は、その外周に、フランジ部１１１の内周側で段状に形成された１つの段部を上述の前部として有するとともに、さらに内周側に形成された箱部を上述の後部として有している。また、本体部１１２は、フランジ部１１１から連なる第１垂直壁部１１２ｂと、当該第１垂直壁部１１２ｂとともに上記の前部（段部）を構成する第１平行壁部１１２ｃと、当該第１平行壁部１１２ｃから連なる第２垂直壁部１１２ｄと、当該第２垂直壁部１１２ｄとともに上記の後部（箱部）を構成する背面壁１１２ｇとを有している。
【００３４】
第１垂直壁部１１２ｂは、フランジ部１１１の内周側に（フランジ部１１１よりも小さい外形サイズで）方形状に形成されている。また、第１垂直壁部１１２ｂは、フランジ部１１１のパッキン装着溝１１１ａと表示部１２との間から後方に、フランジ部１１１に対して垂直に伸びるように形成されている。また、第１垂直壁部１１２ｂは、表示部１２の周囲に一定の幅で形成されている。
【００３５】
第１平行壁部１１２ｃ（本体部側取付壁部）は、第１垂直壁部１１２ｂの後端部から、第１垂直壁部１１２ｂに対して垂直に、かつフランジ部１１１が表示部１２側から伸びる方向と逆の方向に伸びるように（フランジ部１１１と平行になるように）形成されている。この第１平行壁部１１２ｃは、パネル２の表面におけるパネルカット２１Ａの周縁部が当接しうる幅を有している。
【００３６】
第１垂直壁部１１２ｂおよび第１平行壁部１１２ｃは、本体部１１２において、１つの段部を構成している。
【００３７】
第２垂直壁部１１２ｄは、第１平行壁部１１２ｃにおける、第１垂直壁部１１２ｂ側の端部と反対側の端部から、第１垂直壁部１１２ｂと平行、すなわちフランジ部１１１に対して垂直に伸びるように形成されている。上述の保持穴１１２ａは、第２垂直壁部１１２ｄの上側の部分および下側の部分に形成されている。
【００３８】
図４に示すように、第１垂直壁部１１２ｂにおける上下（鉛直方向）に対向する部分の幅ＷＶ１は、第２垂直壁部１１２ｄにおける上下に対向する部分の幅ＷＶ２よりも広く、かつフランジ部１１１の上下の幅ＷＶ３よりも狭い（ＷＶ３＞ＷＶ１＞ＷＶ２）。また、第１垂直壁部１１２ｂにおける左右（水平方向）に対向する部分の幅ＷＨ１は、第２垂直壁部１１２ｄにおける左右に対向する部分の幅ＷＨ２よりも広く、かつフランジ部１１１の左右の幅ＷＨ３よりも狭い（ＷＨ３＞ＷＨ１＞ＷＨ２）。
【００３９】
第２垂直壁部１１２ｄの上端部には、取付金具３を保持するための保持穴１１２ａが所定の間隔をおいた２箇所に形成されている。ここで、便宜上図示はしないが、第２垂直壁部１１２ｄの下端部にも、保持穴１１２ａが、上端部に形成された保持穴１１２ａと対向する２箇所に形成されている。
【００４０】
取付金具３（取付具）は、表示装置１をパネル２に取り付けるための金具である。図３の（ａ）〜（ｃ）に示すように、取付金具３は、パネル２に押圧力を作用させる押圧ネジ３１と、押圧ネジ３１を保持するネジ保持部材３２とを有している。
【００４１】
押圧ネジ３１は、ネジ溝を有するネジ本体３１ａと、押圧ネジ３１を締めるネジ締め部３１ｂと、パネル２を押圧する押圧部３１ｃとを有している。
【００４２】
ネジ締め部３１ｂは、ネジ本体３１ａの一端に設けられており、ネジ工具（ドライバなど）を嵌める工具穴（例えば十時溝）が形成されている。押圧部３１ｃは、ネジ本体３１ａの他端に設けられており、ネジ本体３１ａの直径より大きい直径を有する円盤状に形成されており、パネル２に当接する押圧面を有している。
【００４３】
ネジ保持部材３２は、押圧ネジ３１を保持するネジ保持部３２ａと、本体部１１２の保持穴１１２ａに係止するフック３２ｂとを有している。
【００４４】
ネジ保持部３２ａは、本体部１１２に接する底部と、当該底部における両側の端縁部から互いに対向するように立ち上がる側壁部と、底部および側壁部における押圧部３１ｃに近い側の端縁部と繋がる端壁部とから構成されている。端壁部には、ネジ本体３１ａのネジ溝と噛み合うネジ穴３２ｃが形成されている。
【００４５】
フック３２ｂは、ネジ保持部３２ａにおける上記の端壁部の下端から下方に伸びる垂下部と、当該垂下部から押圧ネジ３１のネジ締め部３１ｂの側に屈曲する屈曲部とを有している。このフック３２ｂは、端壁部より狭い幅に形成されている。
【００４６】
続いて、２つの異なるサイズのパネルカット２１Ａ，２１Ｂに対応する表示装置取付構造について、大きいパネルカット２１Ａが形成されたパネル２に表示装置１に取り付ける場合の詳細について説明する。
【００４７】
図４は、薄型のパッキン４Ａが取り付けられた状態の表示装置１を示す斜視図である。また、図５は、表示装置１をパネル２に取り付けた状態を示す側面図である。そして、図６は、表示装置１をパネル２に取り付ける表示装置取付構造を拡大して示す部分縦断面図である。
【００４８】
図４〜図６に示すように、表示装置１のフランジ部１１１の裏面には、パッキン４Ａが装着されている。パッキン４Ａは、表示部１２を取り囲むような枠形状をなしており、フランジ部１１１の裏面から第１平行壁部１１２ｃまでの距離よりも小さい厚みを有している。また、パッキン４Ａは、内周側の全周にわたって、フランジ部１１１に当接する部分から突出した凸部を有している。パッキン４Ａは、この凸部がフランジ部１１１のパッキン装着溝１１１ａに嵌め込まれることにより、フランジ部１１１に装着される。
【００４９】
パネル２は、大きいパネルカット２１Ａが形成されている。このパネルカット２１Ａの上下（鉛直方向）の幅は、第１垂直壁部１１２ｂの上下の幅ＷＶ１よりも広く、かつフランジ部１１１の上下の幅ＷＶ３よりも狭い。また、パネルカット２１Ａの左右（水平方向）の幅は、第１垂直壁部１１２ｂの左右の幅ＷＨ１よりも広く、かつフランジ部１１１の左右の幅ＷＨ３よりも狭い。このように、フランジ部１１１を、パネルカット２１Ａに通すことはできない、取り付けに対応した大きさに形成している。また、上記のような各部の外形サイズの関係により、パッキン４Ａが装着された表示装置１を、本体部１１２において最も大きい外形サイズ（上下左右に最も広い幅）を有する第１垂直壁部１１２ｂがパネルカット２１Ａを通してパネル２を貫通した状態で、パネル２に配置することができる。
【００５０】
この状態で、取付金具３の押圧ネジ３１を締め込むことで、表示装置１がパネル２に取り付けられる。取付金具３は、フック３２ｂが保持穴１１２ａから本体部１１２の内部に挿入されるように本体部１１２上に配置された状態で、押圧ネジ３１が締め込まれると、ネジ本体３１ａが前進することにより、押圧ネジ３１の押圧部３１ｃがパネル２の裏面に当接して押圧するので、その押圧力の反作用により、ネジ保持部材３２が押圧ネジ３１の送り出し方向と逆方向に移動する。
【００５１】
これにより、フック３２ｂの垂下部が本体部１１２の保持穴１１２ａを形成する端部に当接して、ネジ保持部材３２の移動を抑える。また、押圧ネジ３１の中心軸に直交する方向（図６においては上方）の引っ張り力がネジ保持部材３２に作用したときには、フック３２ｂが本体部１１２の内壁面に当接することにより、フック３２ｂが保持穴１１２ａから抜け出ることを抑止する。
【００５２】
このようにして、パネル２が、フランジ部１１１（パッキン４Ａ）に対して押圧ネジ３１で押さえ込まれることにより、表示装置１がフランジ部１１１でパネル２に固定される。また、この状態では、パネル２とフランジ部１１１との間に挟まれたパッキン４Ａが圧縮されるので、パネル２とフランジ部１１１との間で高度な防水状態が得られる。
【００５３】
引き続き、２つの異なるサイズのパネルカット２１Ａ，２１Ｂに対応する表示装置取付構造について、パネルカット２１Ａに比して小さいパネルカット２１Ｂが形成されたパネル２に表示装置１を取り付ける場合の詳細について説明する。
【００５４】
図７は、厚型のパッキン４Ｂが取り付けられた状態の表示装置１を示す斜視図である。また、図８は、表示装置１をパネル２に取り付けた状態を示す側面図である。図９は、表示装置１をパネル２に取り付ける他の表示装置取付構造を拡大して示す部分縦断面図である。
【００５５】
図７〜図９に示すように、表示装置１のフランジ部１１１には、裏面側にパッキン４Ｂが装着されている。パッキン４Ｂは、上述のパッキン４Ａと同様、表示部１２を取り囲むような枠形状をなしているが、フランジ部１１１の裏面から第１平行壁部１１２ｃまでの距離よりも大きい厚みを有している。また、パッキン４Ｂも、パッキン４Ａと同様、内周部の全周にわたって、フランジ部１１１に当接する部分から突出した凸部を有している。パッキン４Ｂは、この凸部がフランジ部１１１のパッキン装着溝１１１ａに嵌め込まれることにより、フランジ部１１１に装着される。
【００５６】
パネル２は、パネルカット２１Ａよりも小さいパネルカット２１Ｂが形成されている。このパネルカット２１Ｂの上下の幅は、第２垂直壁部１１２ｄの上下の幅ＷＶ２よりも広く、かつ第１垂直壁部１１２ｂの上下の幅ＷＶ１よりも狭い。また、パネルカット２１Ｂの左右の幅は、第２垂直壁部１１２ｄの左右の幅ＷＨ２よりも広く、かつ第１垂直壁部１１２ｂの左右の幅ＷＨ１よりも狭い。これにより、パッキン４Ａが装着された表示装置１を、第１平行壁部１１２ｃがパネル２の表面に当接し、かつ第２垂直壁部１１２ｄがパネルカット２１Ｂを貫通した状態で、パネル２に配置することができる。
【００５７】
この状態で、取付金具３の押圧ネジ３１を締め込むことで、表示装置１がパネル２に取り付けられる。この場合でも、取付金具３によるパネル２の押圧は上述の場合と同様にして行われるので、パネル２が、押圧部３１ｃとパッキン４Ｂおよび第１平行壁部１１２ｃとの間に挟まれる。また、パネル２が取付金具３の押圧ネジ３１によって押圧されると、パネル２とフランジ部１１１との間に挟まれたパッキン４Ｂが圧縮されるので、パネル２は、第１平行壁部１１２ｃに押圧される。
【００５８】
このようにして、パネル２が、フランジ部１１１（パッキン４Ｂ）および第１平行壁部１１２ｃに対して押圧ネジ３１で押さえ込まれることにより、表示装置１がパネル２に固定される。また、この状態では、パネル２とフランジ部１１１との間にあるパッキン４Ｂが圧縮されることにより、パネル２とフランジ部１１１との間で高度な防水状態が得られる。
【００５９】
以上のように、本実施形態に係る表示装置取付構造は、本体部１１２がパネルカット２１Ａ，２１Ｂを通してパネル２を貫通し、かつフランジ部１１１とパネル２との間にパッキン４Ａ，４Ｂが挟まれた状態で、本体部１１２に保持された取付金具３がパネル２の裏面を押圧することで、表示装置１をパネル２に取り付けている。また、パネル２への取り付けにフランジ部１１１および第１平行壁部１１２ｃのいずれか１つが用いられ、第１平行壁部１１２ｃの外形サイズがフランジ部１１１の外形サイズよりも小さい。
【００６０】
これにより、図６に示すように、大きいパネルカット２１Ａの場合は、表示装置１がフランジ部１１１でパネル２に固定されるとともに、薄いパッキン４Ａがフランジ部１１１とパネル２との間に挟まれる。一方、小さいパネルカット２１Ｂの場合は、表示装置１がフランジ部１１１および第１平行壁部１１２ｃでパネル２に固定されるとともに、厚いパッキン４Ｂがフランジ部１１１とパネル２との間に挟まれる。
【００６１】
このような構造により、フランジ部１１１でパネル２に取り付ける場合と、第１平行壁部１１２ｃでパネル２に取り付ける場合とで、それぞれ異なる大きさのパネルカット２１Ａ，２１Ｂに対応して表示装置１を取り付けることができる。したがって、パッキン４Ａ，４Ｂを選択して表示装置１に装着することにより、異なる大きさのパネルカット２１Ａ，２１Ｂのいずれが形成されたパネル２にも表示装置１を取り付けることができる。
【００６２】
また、取付金具３以外に必要とされる部品は、パッキン４Ａ，４Ｂのみである。しかも、パッキン４Ａ，４Ｂは、パッキン装着溝１１１ａに嵌め込むことでフランジ部１１１に装着可能である。これにより、部品点数と取り付けの作業工数とを削減することができる。
【００６３】
そして、取付金具３は、表示装置１をパネルカット２１Ａが形成されたパネル２に取り付ける図６に示す場合と、表示装置１をパネルカット２１Ｂが形成されたパネル２に取り付ける図９に示す場合のいずれにおいても、フランジ部１１１と向き合う同じ位置（第２垂直壁部１１２ｄからの高さが同じ位置）すなわち規定の位置で、押圧ネジ３１がパネル２を押圧し、大小いずれのパネルカット２１Ａ，２１Ｂに表示装置１を取り付ける場合であっても、フランジ部１１１が取付金具３と協動する。これにより、１つの取付金具３で、異なるサイズのパネルカット２１Ａ，２１Ｂがそれぞれ形成されたパネル２に表示装置１を取り付けることができる。
【００６４】
〔実施形態２〕
本発明の他の実施形態について図１０に基づいて説明すると、以下の通りである。なお、本実施形態において、上述の実施形態１における構成要素と同等の機能を有する構成要素については、同一の符号を付記して、その説明を省略する。
【００６５】
実施形態１では、２つの異なるパネルカットサイズに対応した表示装置１をパネル２に取り付ける表示装置取付構造について説明した。これに対し、本実施形態では、図１０の（ａ）〜（ｃ）の部分断面図によって拡大して示すように、３つの異なるパネルカットサイズに対応した表示装置１Ａと、当該表示装置Ａを取り付ける表示装置取付構造とについて説明する。
【００６６】
図１０の（ａ）〜（ｃ）は、それぞれ３つの異なるパネルカットサイズのパネル２に表示装置１Ａを取り付ける表示装置取付構造を拡大して示す部分縦断面図である。
【００６７】
表示装置１Ａにおける本体部１１２Ａは、表示装置１における本体部１１２と同様、第１垂直壁部１１２ｂ、第１平行壁部１１２ｃおよび第２垂直壁部１１２ｄを有している。加えて、本体部１１２Ａは、第２垂直壁部１１２ｄから連なる第２平行壁部１１２ｅおよび当該第２平行壁部１１２ｅから連なる第３垂直壁部１１２ｆを有している。
【００６８】
第２平行壁部１１２ｅ（本体部側取付壁部）は、第２垂直壁部１１２ｄの後端部から、第２垂直壁部１１２ｄに対して垂直に、かつフランジ部１１１が表示部１２側から伸びる方向と逆の方向に伸びるように（フランジ部１１１と平行になるように）形成されている。この第２平行壁部１１２ｅは、図１０の（ｃ）に示すように、パネル２の表面におけるパネルカット２１Ｃの周縁部が当接しうる幅を有している。
【００６９】
第２垂直壁部１１２ｄおよび第２平行壁部１１２ｅは、本体部１１２Ａにおいて、１つの段部を構成している。本体部１１２Ａにおいては、上述した本体部１１２と異なり、第２垂直壁部１１２ｄが中間部を構成し、第３垂直壁部１１２ｆを含む第２平行壁部１１２ｅよりも後ろ側の部分が、実施形態１の本体部１１２における後部に相当する後部を構成している。
【００７０】
第３垂直壁部１１２ｆは、第２平行壁部１１２ｅにおける、第２垂直壁部１１２ｄ側の端部と反対側の端部から、第２垂直壁部１１２ｄと平行、すなわちフランジ部１１１に対して垂直に伸びるように形成されている。上述の保持穴１１２ａは、第３垂直壁部１１２ｆの上側の部分および下側の部分に形成されている。
【００７１】
図１０の（ａ）に示すように、パネルカット２１Ａがフランジ部１１１での取り付けに対応した大きさである場合、パッキン４Ａが装着された表示装置１Ａは、取付金具３Ａを用いてパネル２に取り付けられる。この場合、実施形態１において図６を用いて示した場合と同様に、表示装置１Ａは、第１垂直壁部１１２ｂ（前部）がパネルカット２１Ａに挿入された状態で、パネル２にフランジ部１１１で固定される。
【００７２】
また、この場合、取付金具３Ａは、図６に示す取付金具３と同様、押圧ネジ３１が、フランジ部１１１と向き合う位置でパネル２を押圧している。しかしながら、取付金具３Ａは、図６において取付金具３が配置される第２垂直壁部１１２ｄよりも押圧ネジ３１から離れた位置（図１０の（ａ）では第２垂直壁部１１２ｄよりも低い位置）にある第３垂直壁部１１２ｆ上に配置されている。したがって、取付金具３Ａは、取付金具３よりも高い位置で押圧ネジ３１を保持している。取付金具３Ａは、パネル２におけるパネルカット２１Ａの周縁部を押さえている。
【００７３】
図１０の（ｂ）に示すように、パネルカット２１Ａよりも小さいパネルカット２１Ｂが第１平行壁部１１２ｃでの取り付けに対応した大きさである場合、パッキン４Ｂが装着された表示装置１Ａは、取付金具３Ａを用いてパネル２に取り付けられる。この場合、実施形態１において図９を用いて示した場合と同様に、表示装置１Ａは、第２垂直壁部１１２ｄ（中間部）がパネルカット２１Ｂに挿入された状態で、フランジ部１１１および第１平行壁部１１２ｃでパネル２に固定される。
【００７４】
また、この場合、取付金具３Ａは、図９に示す取付金具３と同様に、押圧ネジ３１が、フランジ部１１１と向き合う位置でパネル２を押圧している。しかしながら、取付金具３Ａは、図１０の（ａ）に示す場合と同様に、第３垂直壁部１１２ｆ上に配置されているので、実施形態１の取付金具３よりも高い位置で押圧ネジ３１を保持する構造となっている。
【００７５】
図１０の（ｃ）に示すように、パネルカット２１Ｂよりも小さいパネルカット２１Ｃが第２平行壁部１１２ｅでの取り付けに対応した大きさである場合、パッキン４Ｃを用いる。パッキン４Ｃは、上述のパッキン４Ａ，４Ｂと同様、表示部１２を取り囲むような枠形状をなしているが、フランジ部１１１の裏面から第２平行壁部１１２ｅまでの距離よりも大きい厚みを有しており、かつ第１平行壁部１１２ｃを覆うような形状に形成されている。また、パッキン４Ｃも、パッキン４Ａ，４Ｂと同様、内周部の全周にわたって、フランジ部１１１に当接する部分から屈曲した屈曲部を有している。パッキン４Ｃは、この屈曲部がフランジ部１１１のパッキン装着溝１１１ａに嵌め込まれることにより、フランジ部１１１に装着される。
【００７６】
パネル２は、パネルカット２１Ｂよりも小さいパネルカット２１Ｃが形成されている。このパネルカット２１Ｃの上下の幅は、第３垂直壁部１１２ｆの上下の幅ＷＶ４よりも広く、かつ第２垂直壁部１１２ｄの上下の幅ＷＶ２よりも狭い。また、パネルカット２１Ｃの左右の幅は、第３垂直壁部１１２ｆの左右の幅（図示せず）よりも広く、かつ第２垂直壁部１１２ｄの左右の幅ＷＨ２よりも狭い。これにより、パッキン４Ｃが装着された表示装置１Ａを、第２平行壁部１１２ｅがパネル２の表面に当接し、かつ第３垂直壁部１１２ｆ（後部）がパネルカット２１Ｃに挿入された状態で、パネル２に配置することができる。
【００７７】
この状態で、取付金具３Ａの押圧ネジ３１を締め込むことで、表示装置１Ａがパネル２に取り付けられる。この場合でも、取付金具３Ａによるパネル２の押圧は上述の場合と同様にして行われるので、パネル２が、押圧部３１ｃとパッキン４Ｃおよび第２平行壁部１１２ｅとの間に挟まれる。また、パネル２が取付金具３Ａの押圧ネジ３１によってフランジ部１１１と向き合う位置で押圧されると、パネル２とフランジ部１１１および第１平行壁部１１２ｃとの間に挟まれたパッキン４Ｃが圧縮されるので、パネル２は、第２平行壁部１１２ｅに押圧される。
【００７８】
このように、図１０の（ａ）〜（ｃ）のいずれの場合においても、取付金具３Ａが用いられ、当該取付金具３Ａがフランジ部１１１と向き合う位置（押圧位置）でパネル２を押圧している。しかしながら、それぞれの場合でパネルカットサイズが異なるので、取付金具３Ａは、図１０の（ｂ）の場合、パネルカット２１Ｂと押圧位置との間の最短距離（パネルカット２１Ｂの縁部と押圧ネジ３１の先端面との距離）が、図１０の（ａ）の場合のパネルカット２１Ａと押圧位置との最短距離よりも長くなり、図１０の（ｃ）の場合、パネルカット２１Ｃと押圧位置との間の最短距離が、図１０の（ｂ）の場合のパネルカット２１Ｂと押圧位置との最短距離よりも長くなる。
【００７９】
以上のように、本実施形態に係る表示装置取付構造において、表示装置１Ａの本体部１１２Ａが、第１平行壁部１１２ｃだけでなく、第１平行壁部１１２ｃよりも第２垂直壁部１１２ｄ側にオフセットするように形成された第２平行壁部１１２ｅを有している。つまり、第２平行壁部１１２ｅの外形サイズは、第１平行壁部１１２ｃの外形サイズより小さい。
【００８０】
これにより、実施形態１の表示装置取付構造と比べて、さらに小さいパネルカット２１Ｃに対しても表示装置１Ａを取り付けることができる。したがって、１つの取付金具３Ａで、異なるサイズのパネルカット２１Ａ〜２１Ｃがそれぞれ形成されたパネル２に表示装置１Ａを取り付けることができる。
【００８１】
大小いずれのパネルカット２１Ａ〜２１Ｃが形成されたパネル２に表示装置１Ａを取り付ける場合であっても、フランジ部１１１が取付金具３Ａと協動するのは実施形態１の場合と同様である。
【００８２】
〔実施形態３〕
本発明のさらに他の実施形態について図１１に基づいて説明すると、以下の通りである。なお、本実施形態において、上述の実施形態１および２における構成要素と同等の機能を有する構成要素については、同一の符号を付記して、その説明を省略する。
【００８３】
実施形態２では、３つの異なるパネルカットサイズのパネル２に対応して同じ取付金具３Ａを用いて表示装置１Ａを取り付ける表示装置取付構造について説明した。これに対し、本実施形態では、図１１の（ａ）および（ｂ）の部分断面図によって拡大して示すように、図１０の（ｂ）および（ｃ）に示す表示装置取付構造の取付金具３Ａの代わりに、それぞれのパネルカットサイズに対応した２つの異なる取付金具３Ｂ，３Ｃを用いて表示装置１Ａをパネル２に取り付ける表示装置取付構造について説明する。
【００８４】
図１１の（ａ）に示す表示装置取付構造は、図１０の（ｂ）に示す表示装置取付構造における取付金具３Ａに代えて取付金具３Ｂを備えている。取付金具３Ｂは、図１０の（ｂ）に示す表示装置取付構造と異なり、押圧ネジ３１が第１平行壁部１１２ｃに向き合う位置でパネル２を押圧するように、取付金具３Ａよりも低い位置、すなわち第３垂直壁部１１２ｆに近い位置で押圧ネジ３１を保持する構造となっている。
【００８５】
一方、図１１の（ｂ）に示す表示装置取付構造は、図１０の（ｃ）に示す表示装置取付構造における取付金具３Ａに代えて取付金具３Ｃを備えている。取付金具３Ｃは、図１０の（ａ）および（ｂ）に示す表示装置取付構造と異なり、押圧ネジ３１が第２平行壁部１１２ｅに向き合う位置でパネル２を押圧するように、さらに取付金具３Ｂよりも低い位置、すなわち第３垂直壁部１１２ｆに近い位置で押圧ネジ３１を保持する構造となっている。
【００８６】
このように、図１１の（ａ）の場合において、取付金具３Ｂが用いられ、当該取付金具３Ｂが第１平行壁部１１２ｃと向き合う位置（押圧位置）でパネル２を押圧している。また、図１１の（ｂ）の場合において、取付金具３Ｃが用いられ、当該取付金具３Ｃが第２平行壁部１１２ｅと向き合う位置（押圧位置）でパネル２を押圧している。したがって、それぞれの場合でパネルカットサイズが異なっても、取付金具３Ｂ，３Ｃは、図１１の（ａ）の場合、それぞれのパネルカット２１Ｂ，２１Ｃと押圧位置との間の距離が、図１０の（ａ）の場合のパネルカット２１Ａと押圧位置との距離とほぼ同じになる。すなわち、いずれの場合も、取付金具３Ｂ，３Ｃは、パネル２におけるパネルカット２１Ｂ，２１Ｃの周縁部を押さえている。
【００８７】
図１１の（ａ）および（ｂ）に示すそれぞれの表示装置取付構造では、図１０の（ａ）に示す表示装置取付構造と比べて、上記のように、押圧ネジ３１がパネル２を押圧する位置に応じて、高さの異なるネジ保持部材３２Ｂ，３２Ｃを使い分けている。その理由について以下に説明する。
【００８８】
ネジ保持部材３２Ｂ，３２Ｃにおいて、押圧ネジ３１がパネル２を押圧する力の反作用の力が、押圧ネジ３１を保持しているネジ穴３２ｃ付近に作用する。この力に基づくモーメントにより、ネジ保持部３２ａの底部が接触する本体部１１２の後端の角部を中心として、本体部１１２に係止しているフック３２ｂが引き上げられる方向に回転しようとする。このため、フック３２ｂが係止している本体部１１２に大きな負荷が加わる。
【００８９】
図１０の（ａ）に示す表示装置取付構造では、本体部１１２の上端面と押圧ネジ３１の中心軸との間の距離Ｄ１が最も長く、モーメントによってフック３２ｂに作用する力が大きくなる。これにより、図１１の（ａ）および（ｂ）に示す表示装置取付構造のように、押圧ネジ３１の高さを可能な限り低くする、すなわち、押圧ネジ３１がそれぞれパネルカット２１Ｂ，２１Ｃの近傍でパネル２を押圧するように、距離Ｄ２，Ｄ３を短くする。それゆえ、モーメントによってフック３２ｂに作用する力を小さくして、本体部１１２に加わる負荷を軽減することができる。したがって、筐体１１の張寿命化を図ることができる。
【００９０】
なお、上述の実施形態２および本実施形態では、表示装置１Ａが第１平行壁部１１２ｃおよび第２平行壁部１１２ｅを有する構成について例示したが、同様な平行壁部は、３つ以上（複数）設けられていてもよい。ただし、最も大きいパネルカット２１Ａのパネル２に表示装置１Ａを取り付ける場合、本体部１１２Ａにおいて取付金具３を配置する上端面と押圧ネジ３１の中心軸との間の距離がさらに長くなる。このため、上記のようなフック３２ｂを介して本体部１１２Ａに加わる力が増大する。また、平行壁部の増加に応じて本体部１１２Ａの奥行きを大きくする必要がある。これらと、所望とされる取り付け可能なパネルカット２１Ａ〜２１Ｃの範囲とを考慮して、平行壁部の数が決定されることが望ましい。
【００９１】
〔付記事項〕
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００９２】
特に、取付金具３（取付金具３Ａ〜３Ｃ）の形状や構造については、本体部１１２，１１２Ａに保持された状態でパネル２の裏面に押圧力を作用させることができるものであれば、上述したものに限らず、種々のものを採用することができる。例えば、ネジ以外に、パネの弾性力を用いてパネル２を押圧するような取付金具も上述した各実施形態に適用することができる。
【００９３】
なお、上述した各実施形態では、筐体１１に対して着脱可能な取付金具３，３Ａ〜３Ｃを用いた表示装置取付構造について説明した。しかしながら、取付金具は、このような着脱可能なものだけでなく、筐体１１に取り外しできないように取り付けられるものであっても各実施形態に適用が可能である。
【産業上の利用可能性】
【００９４】
本発明は、パネル取付型の表示装置のパネルへの取り付けに好適に利用することができる。
【符号の説明】
【００９５】
１，１Ａ  表示装置
２  パネル
３，３Ａ〜３Ｃ  取付金具（取付具）
４Ａ〜４Ｃ  パッキン
１１  筐体
１２  表示部
２１Ａ〜２１Ｃ  パネルカット（取付穴）
３２ｂ  フック
１１１  フランジ部（表示部側取付壁部）
１１１ａ  パッキン装着溝（溝）
１１２，１１２Ａ  本体部
１１２ａ  保持穴
１１２ｂ  第１垂直壁部（段部）
１１２ｃ  第１平行壁部（段部，本体部側取付壁部）
１１２ｄ  第２垂直壁部（段部）
１１２ｅ  第２平行壁部（段部，本体部側取付壁部）
【図１】
2016093041.tif 000003
【図２】
2016093041.tif 000004
【図３】
2016093041.tif 000005
【図４】
2016093041.tif 000006
【図５】
2016093041.tif 000007
【図６】
2016093041.tif 000008
【図７】
2016093041.tif 000009
【図８】
2016093041.tif 000010
【図９】
2016093041.tif 000011
【図１０】
2016093041.tif 000012
【図１１】
2016093041.tif 000013